(57)【要約】      （修正有）【課題】従来の機能を維持しつつ北米規格の基準を満たす加熱調理器を提供する。【解決手段】容器本体と、前記容器本体内の内容物を加熱する加熱手段と、冷却ファン５８と、前記容器本体に設けられ、前記冷却ファン５８に空気を送るための吸気孔と、を有する加熱調理器であって、前記吸気孔には、前記吸気孔を覆うカバー部材６５を有し、前記カバー部材６５は、吸気開口部６７を有し、前記吸気孔を通して内部が見えないようにするとともに、前記吸気開口部６７より外気の吸い込みを可能にする構成。【選択図】図２
2015038401.tif 000002
【特許請求の範囲】
【請求項１】
容器本体と、前記容器本体内の内容物を加熱する加熱手段と、冷却ファンと、前記容器本体に設けられ、前記冷却ファンに空気を送るための吸気孔と、を有する加熱調理器であって、
前記吸気孔には、前記吸気孔を覆うカバー部材を有し、
前記カバー部材は、吸気開口部を有し、前記吸気孔を通して内部が見えないようにするとともに、前記吸気開口部より外気の吸い込みを可能にすることを特徴とする加熱調理器。
【請求項２】
前記カバー部材は、前記容器本体の底部に設けられ、前記吸気開口部は側方に開口することを特徴とする請求項１に記載の加熱調理器。
【請求項３】
前記容器本体の底部には、脚及びリブを有し、
前記リブは前記脚より短く、前記吸気開口部に対向することを特徴とする請求項２に記載の加熱調理器。
【請求項４】
前記吸気開口部は、複数の穴であり、
前記カバー部材は、前記吸気孔の軸心方向に複数個重なり、
前記カバー部材の前記穴は、他のカバー部材の穴に対して前記吸気孔の軸心方向に直交する方向にずれており、前記穴を通して内部が見えないようにするとともに、前記穴より外気の吸い込みを可能にすることを特徴とする請求項１に記載の加熱調理器。
【発明の詳細な説明】
【技術分野】
【０００１】
本願発明は、加熱調理器に関し、特に、容器本体内に冷却ファンを設け、冷却ファンにより加熱手段を制御する例えばＩＧＢＴ等の充電部を冷却する加熱調理器に関するものである。
【背景技術】
【０００２】
従来、加熱調理器としては、金属製の内鍋を用い、該内鍋を内ケース（保護枠）内に収納し、内ケースの下部に設けられ内鍋に電磁誘導を発生させる電磁誘導コイルにより内鍋を発熱させ、炊飯量に適した最適な炊飯を行う炊飯器が知られている。
【０００３】
このような炊飯器は、内鍋を電磁誘導コイルから発生する磁界により発熱させて加熱するものが主流であるが、このようなものは容器本体内の温度が上がるため冷却ファンによる冷却が必要となる。
【０００４】
そのため、例えば、容器本体の底部に外気取入口である吸気孔を設け、吸気孔の直上の容器本体内に冷却ファンを設け、冷却ファンにより取り込まれた冷却風によって冷却ファンの上方に配置されるＩＧＢＴ等の発熱部品である充電部を冷却するものが広く知られている（特許文献１参照）。そして、このようなものは吸気孔より上記充電部が見えるようになっている。
【０００５】
ところで、２０１３年度より家庭用電気機器の北米規格の基準が変更となり、充電部が製品の外方から見えてはいけないことになった。その理由は家庭用電気機器の異常過熱時に充電部が溶解し外部にでないようにするためである。
【先行技術文献】
【特許文献】
【０００６】
【特許文献１】特開２００５−２５３８４２号公報
【発明の概要】
【発明が解決しようとする課題】
【０００７】
本願発明の目的は、上記課題を解決することであり、特に、従来の機能を維持しつつ上記北米規格の基準を満たす加熱調理器を提供することである。
【課題を解決するための手段】
【０００８】
上記目的を達成するため、本願発明は以下の構成を採用する。
【０００９】
請求項１に係る発明では、容器本体と、前記容器本体内の内容物を加熱する加熱手段と、冷却ファンと、前記容器本体に設けられ、前記冷却ファンに空気を送るための吸気孔と、を有する加熱調理器であって、前記吸気孔には、前記吸気孔を覆うカバー部材を有し、前記カバー部材は、吸気開口部を有し、前記吸気孔を通して内部が見えないようにするとともに、前記吸気開口部より外気の吸い込みを可能にする構成。
【００１０】
なお、北米規格は吸気孔の軸心より５度外方に傾斜した範囲から見た場合となっており、本願発明の「内部が見えないようにする」は、「吸気孔の軸心Ｒ（図９参照）より５度外方に傾斜した範囲から見た場合に見えないようにする」との意味である。
【００１１】
請求項２に係る発明では、更に、前記カバー部材は、前記容器本体の底部に設けられ、前記吸気開口部は側方に開口する構成。
【００１２】
請求項３に係る発明では、更に、前記容器本体の底部には、脚及びリブを有し、前記リブは前記脚より短く、前記吸気開口部に対向する構成。
【００１３】
請求項４に係る発明では、更に、前記吸気開口部は、複数の穴であり、前記カバー部材は、前記吸気孔の軸心方向に複数個重なり、前記カバー部材の前記穴は、他のカバー部材の穴に対して前記吸気孔の軸心方向に直交する方向にずれており、前記穴を通して内部が見えないようにするとともに、前記穴より外気の吸い込みを可能にする構成。
【発明の効果】
【００１４】
請求項１に係る発明では、容器本体の吸気孔にカバー部材を設け、カバー部材に吸気開口部を設け、吸気孔を通して内部が見えないようにし、吸気開口部より外気の吸い込みを可能にすることにより、上記北米規格を満たすことができるとともに、塵、埃、針金、虫等の吸気孔からの侵入をも防止することができる。
【００１５】
請求項２に係る発明では、カバー部材を容器本体の底部に設け、吸気開口部を側方に開口することにより、請求項１に係る発明の効果に加え、加熱調理器を足の長い絨毯上に置いたとしても冷却風の取り入れを可能にすることができ、その結果加熱調理器を安全に使用することができる。
【００１６】
請求項３に係る発明では、容器本体の底部に脚及び脚より短いリブを設け、リブを吸気開口部に対向することにより、請求項２に係る発明の効果に加え、容器本体の底部に籠もる熱気を直接吸い込むことを防止することができ、その結果冷却ファンによる冷却効率の低下を防止することができる。
【００１７】
請求項４に係る発明では、複数の穴を有するカバー部材を吸気孔の軸心方向に複数個重ね、且つそれぞれのカバー部材の穴を例えば少しずつずらして、穴を通して内部が見えないようにし、穴より外気の吸い込みを可能にすることにより、上記北米規格を満たすことができるとともに、塵、埃、針金、虫等の吸気孔からの侵入をも防止することができる。
【図面の簡単な説明】
【００１８】
【図１】本願発明の加熱調理器の全体断面図
【図２】図１の一部拡大断面図
【図３】カバー部材を取り外した状態の加熱調理器を下方から見た図
【図４】カバー部材を取り取り付けた状態の加熱調理器を下方から見た図
【図５】カバー部材を上から見た図
【図６】他のカバー部材を上からみた図
【図７】更に他のカバー部材を取付けた状態を示す断面図
【図８】図７のカバー部材を上から見た図
【図９】更に他のカバー部材を取付けた状態を示す断面図
【実施例】
【００１９】
加熱調理器にはいろいろあるが、以下においては炊飯器を例として述べる。図１は炊飯器の全体断面図を示し、図２は吸気孔近傍の拡大断面図を示し、図３〜図５にカバー部材を取付けた状態等を示し、図６〜図９にカバー部材の他の例を示す。なお、炊飯器の表示パネル側（図１の左側）を前方側、ヒンジ部側（図１の右側）を後方側とし、前後方向に直交する方向を左右側とする。
【００２０】
炊飯器Ｓは、図１に示すように大別して、内部に内鍋５０を収納可能な容器本体４０と、該容器本体４０の上部開口を開閉自在な蓋体２０とからなる。
【００２１】
蓋体２０は、合成樹脂製の部材であり、上面を形成する上板２１と、下面を形成する下板２２を有する。そして、上板２１と下板２２とは、それぞれの周端部が当接する形態で形成されている。
【００２２】
蓋体２０の中央部には調圧部材２３が着脱自在に設けられる。この調圧部材２３は、蒸気通路２４、蒸気弁２５及び蒸気排出口２６を有し、炊飯時、内鍋５０内の過剰な蒸気を蒸気排出口２６から外部に放出する。
【００２３】
前記下板２２の下方には内蓋２７が着脱自在に取り付けられる。また、この内蓋２７の外周縁には、シールパッキン２８が狭持され、蓋体２０の閉蓋時、前記内鍋５０の上縁部に当接し、内鍋５０内の熱の逃げを防止する。
【００２４】
蓋体２０の後方側には、ヒンジ部３０を有する。ヒンジ部３０はばね３１を有し、炊飯器Ｓの前方側上部に設けられる蓋ロック部材３２を押圧するとばね３１の力により蓋体２０を後方側に開放する。
【００２５】
容器本体４０は、外壁を形成する外ケース４１、該外ケース４１内にあり内壁を形成する保護枠でもある内ケース４２、それら内外ケース４１、４２の上端部を形成する肩部材４３、及び炊飯器Ｓの底部を形成する底部材４４からなる。そして、底部材４４には下方に垂下した３個の脚４４ａとを有する。なお、底部材４４には、３個の脚４４ａより短い４個のねじボス４４ｂを有する。また、脚４４ａは底部材４４と別体であってもよい。
【００２６】
前記外ケース４１は、ステンレス等の金属製で上下開口の円筒状部材であり、炊飯器Ｓの胴部を形成する。前記肩部材４３は、樹脂製、例えばポリプロピレン（ＰＰ）等からなり、容器本体４０の上部の肩部を形成する部材であり、その後方側にはヒンジ部３０及び取手４５を有する。
【００２７】
容器本体４０の内部に設けられる前記内ケース４２は、上方が開口される容器状の部材であり、外ケース４１との間に略環状の内部空間４６を形成し、内ケース４２内には内鍋５０を収納する。
【００２８】
また、内ケース４２の底部中央には中央口４２ａを有し、該中央口４２ａを貫通する形態で温度センサ５１が容器本体４０の底部に設けられ、その温度センサ５１の先端は内鍋５０の底部に当接し、内鍋５０の温度を検知する。
【００２９】
内ケース４２の底部及び湾曲部の外方には、加熱手段である底部コイル５２及びコーナーコイル５３からなるワークコイルを有する。そして、内鍋５０を内ケース４２内にセットし、炊飯用のスイッチを押すと、温度センサ５１がオンし、底部コイル５２及びコーナーコイル５３を通電し、渦電流に起因したジュール熱により内鍋５０を加熱し、飯米等の内容物の炊飯を行う。
【００３０】
容器本体４０の前方上部には、各種スイッチを配置する表示パネル５５を有し、表示パネル５５上の各種スイッチを操作することによりユーザーが望む炊飯等を実行する。
【００３１】
符号５６は表示パネル５５の下方の内部空間４６に立設する制御基板であり、この制御基板５６には炊飯制御のための各種制御素子、例えば、ＩＢＧＴ及びダイオードブリッジ等の制御素子５７が取付けられる。
【００３２】
充電部である前記ＩＢＧＴ及びダイオードブリッジ等は発熱するため、それらを冷却する冷却ファン５８が制御基板５６の下方の容器本体４０の底部近傍に設けられるとともに、冷却ファン５８の下方の底部材４４には吸気孔５９が開口し、更に冷却ファン５８の上方には放熱用のヒートシンク６０を有する。
【００３３】
前記冷却ファン５８は水平に配置されており前記吸気孔５９から外気を導入し、導入した外気を冷却風として上方に押し出し、冷却ファン５８の上方の制御基板５６に配置される各種制御素子５７や、前記底部コイル５２及びコーナーコイル５３等を冷却する。
【００３４】
前記吸気孔５９は冷却ファン５８に空気を送るための開口で、この例では図３に示すように複数のスリットであり、これらスリットから空気が取り込まれる。このようなスリットにすることにより、異物の侵入を低減することができる。吸気孔５９回りの底部材４４には、それぞれビス穴６１ａを配置してなる４個のビス取付部６１を有する。
【００３５】
なお、吸気孔５９は、各種形状の穴等であってもよく、複数のスリット或いは穴等がない１個の円形或いは矩形状の吸気孔５９であってもよい。
【００３６】
図５にカバー部材６５を示す。カバー部材６５は平面視略矩形状の樹脂製の平板状部材であり、短辺部に前方端部６５ａ及び後方端部６５ｂを有し、長辺部に側方端部６５ｃ、６５ｃを有する。そして、前方端部６５ａは若干の円弧で、後方端部６５ｂは直線で、側方端部６５ｃ、６５ｃは平行な直線である。
【００３７】
また、前方端部６５ａと後方端部６５ｂと側方端部６５ｃ、６５ｃとにより囲まれる中央部分は水平な平面部６５ｄであり、平面部６５ｄの外周端と前方端部６５ａ及び側方端部６５ｃ、６５ｃとを結ぶ領域部６５ｅは図２に示すように上方上がりの円弧状であるのに対し、後方端部６５ｂは平面部６５ｄの外周端と同一である。
【００３８】
即ち、カバー部材６５は取付けた状態では一辺がないざる形状のもので、底部材４４に取付けると、前方端部６５ａ及び側方端部６５ｃ、６５ｃは底部材４４に当接するが、後方端部６５ｂは底部材４４より下方に位置し、底部材４４との間に左右方向に長い略矩形状の吸気開口部６７を形成するとともに、内部にカバー内空間６６を形成する。
【００３９】
平面部６５ｄの外周端と前方端部６５ａ及び側方端部６５ｃ、６５ｃとを結ぶ円弧状の領域部６５ｅには複数の小開口６８を有する。また、側方端部６５ｃ、６５ｃの前後端にはそれぞれ左右方向に突き出るとともにビス穴６９ａを有する４個のビス取付部６９が一体形成される。
【００４０】
カバー部材６５の取付けは以下のように行われる。まず、炊飯器Ｓを逆にし、底部材４４の吸気孔５９を覆い、後方端部６５ｂが後方側になるようにカバー部材６５を置き、底部材４４の４個のビス穴６１ａにカバー部材６５の４個のビス穴６９ａを一致させ、次いで、４個のビス穴６９ａにビス６９ｂを挿入し、４個のビス穴６１ａ内にビス６９ｂを螺合してカバー部材６５を底部材４４に固定する。なお、カバー部材６５の高さは脚４４ａよりも低くする。
【００４１】
すると、カバー部材６５の後方端部６５ｂの上方に後方側に開口する吸気開口部６７が形成され、且つ平面部６５ｄ上方にカバー内空間６６が形成される。カバー部材６５を取付けた状態を図４に示す。この例のものは、カバー部材６５を容器本体４０の外方、より具体的には底部材４４の外方に取付けるものである。
【００４２】
その結果、吸気孔５９を通して内部が見えないようにすることができるとともに、塵、埃、針金、虫等の吸気孔からの侵入を防止する。更には、炊飯器Ｓを足の長い絨毯上に置いたとしても冷却風の取り入れが可能になる。
【００４３】
ところで、図３に示すように、吸気開口部６７の後方側には左右方向に伸びるリブ６２を有する。このリブ６２は前方側の２個のねじボス４４ｂ、４４ｂの間に設けられる直線状のもので底部材４４の該当箇所を下方に突き出す形態で底部材４４と一体に形成される。
【００４４】
前記リブ６２は、吸気開口部６７に平行に対向しており、リブ６２の後方側の熱が吸気開口部６７に行かないように遮断する。なお、後方側の２個のねじボス４４ｂ、４４ｂ間にも同形状の第２リブ６３が設けられるが、これは強度的或いは見栄えをよくするためである。また、リブ６２及び第２リブ６３の高さも脚４４ａより低い。
【００４５】
カバー部材６５の小開口６８がない例を図６に示す。このように小開口６８はなくてもよいが、あった方が外気の取り込みがよくなり、また、何らかの理由で吸気開口部６７が閉鎖されたとしても外気の取り込みが可能になる。
【００４６】
カバー部材の変形例を図７及び図８に示す。この例のものはカバー部材７０を底部材４４の内部に配置するものである。冷却ファン５８の下方の底部材４４に下方に突き出る筒状突起７１を一体に形成する。この筒状突起７１は脚４４ａより短く、且つその底部に吸気孔７２を有する。なお、この筒状突起７１はねじボス４４ｂであってもよい。
【００４７】
また、筒状突起７１内には十字リブ７３が接着材等により固定され、更に十字リブ７３上には正方形、矩形或いは円形（図８のものは正方形）で平板状のカバー部材７０を載置し、例えば接着材等により固定する。
【００４８】
その結果、外気は図７で矢印で示すように取り込まれる。このようなものにおいても吸気孔７２を通して内部が見えないようにすることができるとともに、塵、埃、針金、虫等の吸気孔７２からの侵入を防止することができる。
【００４９】
なお、前記筒状突起７１を３個の脚４４ａのいずれかにすることもできる。その場合は吸気孔７２はカバー部材７０より下方の脚４４ａの側面に設けることになる。
【００５０】
カバー部材の更なる変形例を図９に示す。この例のものはカバー部材８０を複数個、例えば３個にしてそれらを上下方向に長い長さを有する吸気孔８１内に吸気孔８１の軸心方向Ｒである上下方向に隙間を有して積み重ねるものである。そして、各カバー部材８０には複数の吸気開口部８２、例えば円形の穴、矩形状の穴、楕円の穴等が設けられるとともに、各カバー部材８０の吸気開口部８２は他のカバー部材８０の吸気開口部８２に対して吸気孔８１の軸心方向Ｒに直交する方向（紙面の左右方向）にずれており、吸気孔８１を通して内部が見えないようにされる。
【００５１】
その結果、外気は図９で矢印で示すように取り込まれることになる。このようなものにおいても吸気孔８１を通して内部が見えないようにすることができるとともに、塵、埃、針金、虫等の吸気孔８１からの侵入を防止することができる。
【００５２】
本願発明は、上記実施例の構成に限定されるものではなく、発明の要旨を逸脱しない範囲において適宜設計変更可能であり、例えば内鍋は土鍋等でもよく、また、吸気孔は容器本体の底部以外であってもよい。
【符号の説明】
【００５３】
Ｓ…炊飯器                      ２０…蓋体
２１…上板                      ２２…下板
２３…調圧部材                  ２４…蒸気通路
２５…蒸気弁                    ２６…蒸気排出口
２７…内蓋                      ２８…シールパッキン
３０…ヒンジ部                  ３１…ばね
３２…蓋ロック部材              ４０…容器本体
４１…外ケース                  ４２…内ケース
４２ａ…中央口                  ４３…肩部材
４４…底部材                    ４４ａ…脚
４５…取手                      ４６…内部空間
５０…内鍋                      ５１…温度センサ
５２…底部コイル                ５３…コーナーコイル
５５…表示パネル                ５６…制御基板
５７…制御素子                  ５８…冷却ファン
５９…吸気孔                    ６０…ヒートシンク
６１…ビス取付部                ６１ａ…ビス穴
６２…リブ                      ６３…第２リブ
６５…カバー部材                ６５ａ…前方端部
６５ｂ…後方端部                ６５ｃ…側方端部
６５ｄ…平面部                  ６５ｅ…円弧状の領域部
６６…カバー内空間              ６７…吸気開口部
６８…小開口                    ６９…ビス取付部
６９ａ…ビス穴                  ７０…カバー部材
７１…筒状突起                  ７２…吸気孔
７３…十字リブ                  ８０…カバー部材
８１…吸気孔                    ８２…吸気開口部
【図１】
2015038401.tif 000003
【図２】
2015038401.tif 000004
【図３】
2015038401.tif 000005
【図４】
2015038401.tif 000006
【図５】
2015038401.tif 000007
【図６】
2015038401.tif 000008
【図７】
2015038401.tif 000009
【図８】
2015038401.tif 000010
【図９】
2015038401.tif 000011